(57)【要約】      （修正有）【課題】チューブ容器５の中身をある程度使用したところで、中身を注出口へ押し出すのが容易にできなくなり、又中身を最後まで使い切るのも難しくなる。【解決手段】本考案のチューブ容器５の注出具１は、２本の棒２，３で長穴を形成し、棒４を長穴と平行にある程度の間隔をとり長穴の両端に固定する。長穴にチューブ容器の後端を通した後、長穴と棒４との間に差し込んで引っ張り出すことにより、チューブ容器の中身を注出口へ集めることができる。チューブ容器の中身を常に満杯状態にする事により、中身の注出が容易になり、又中身を使い切ることもでき、課題を解決することができる。【選択図】図１
0003127089.tif 000002
【実用新案登録請求の範囲】
【請求項１】
２本の棒２、３で長穴を形成し、この長穴に通したチューブ容器５を傾斜させて引っ張り出すために、棒４を長穴と平行にある程度の間隔をとって、長穴の両端に固定したものである。長穴の構成部に棒４を設けたことを特徴とするチューブ容器５の注出具。
【考案の詳細な説明】
【技術分野】
【０００１】本考案は、チューブ容器の中身の注出を容易にし、又中身を使い切るために、チューブ容器に装着する注出具に関するものである。
【背景技術】
【０００２】チューブ容器の中身をある程度使用した後で、直接手でチューブ容器の後端を巻き上げて、中身を注出するか、又は直接手でチューブ容器を押さえて中身を注出している。
【考案の開示】
【考案が解決しようとする課題】
【０００３】しかし、チューブ容器の後端を巻き上げて中身を注出口へ押しやっても、中身を使用する毎にチューブ容器の巻上げを繰り返さなくてはならない。又直接手でチューブ容器を押さえても、中身が分散し容易に注出することが出来ない、又中身を使い切ることも難しくなる。
【課題を解決すための手段】
【０００４】上記課題を解決するための本考案は、２本の棒２，３で長穴を形成し、棒４を長穴と平行にある程度の間隔をとり長穴の両端に固定する。チューブ容器５の後端を長穴に通した後、長穴と棒４の間に差し込んで引っ張り出すことにより、チューブ容器の中身を注出口へ集めることができる。
【考案の効果】
【０００５】チューブ容器の中身を注出口へ集めることにより、常に中身を満杯の状態にすることで、注出が容易にでき、又中身を使い切ることもできる。
【考案を実施するための最良の形態】
【０００６】本考案の注出具１は図１に示すように、チューブ容器５の後端から注出具１を差し込み、中身を注出口へ集めるものである。注出具１（図２）は、２本の棒２，３で長穴を形成し、棒４を長穴と平行にある程度の間隔とり、長穴の両端に固定する。長穴の隙間Ａ（図３）は、チューブ容器後端部の厚みＢの約２倍程度とする。この長穴にチューブ容器の後端を通す、チューブ容器の後端とのガタツキ分を吸収するために、さらに長穴と棒４との間に後端を差し込み引っ張り出す。これにより長穴とチューブ容器がしっくりとした状態になる。長穴に対する棒４の位置は、長穴とチューブ容器の隙間（図４）が無くなるまで傾斜させた位置とする。長穴とチューブ容器の隙間が無くなることにより、中身を洩れなく注出口へ集めることがでる。
【図面の簡単な説明】
【０００７】
【図１】    本考案の注出具１の使用状態を示す斜視図
【図２】    注出具１の斜視図
【図３】    長穴の隙間Ａとチューブ容器の状態
【図４】    長穴と棒４の間に通したチューブ容器の状態と隙間Ｂ
【符号の説明】
【０００８】  １    注出具
２    棒２、長穴の部材
３    棒３、長穴の部材
４    棒４、長穴の両端に渡した部材
５    チューブ容器
Ａ    長穴の隙間
Ｂ    長穴と棒４との間にチューブ容器を差し込んだ時の長穴とチューブ容器の隙間
【図１】
0003127089.tif 000003
【図２】
0003127089.tif 000004
【図３】
0003127089.tif 000005
【図４】
0003127089.tif 000006
【手続補正書】
【提出日】平成18年6月30日(2006.6.30)
【手続補正１】
【補正対象書類名】実用新案登録請求の範囲
【補正対象項目名】全文
【補正方法】変更
【補正の内容】
【実用新案登録請求の範囲】
【請求項１】
長穴と支持棒とを有した、側面視略Ｌ字に形成された棒枠体で構成されたチューブ容器の注出具であって、
上記チューブ容器を、その後端から上記長穴に差し込み、該チューブ容器の後端部を、上記支持棒で上方から押し当て支持されるようにして、上記長穴と上記支持棒とで該チューブ容器を傾斜状態に保持するように取付ける構造とされ、その状態で該チューブ容器の後端を引っ張り出すことで、該チューブ容器の中身を注出口に集めるようにした、チューブ容器の注出具。
【手続補正２】
【補正対象書類名】明細書
【補正対象項目名】全文
【補正方法】変更
【補正の内容】
【考案の詳細な説明】
【技術分野】
【０００１】
本考案は、チューブ容器の中身の注出を容易にし、又中身を使い切るために、チューブ容器に装着する注出具に関するものである。
【背景技術】
【０００２】
チューブ容器の中身をある程度使用した後で、直接手でチューブ容器の後端を巻き上げて、中身を注出するか、又は直接手でチューブ容器を押さえて中身を注出している。
【考案の開示】
【考案が解決しようとする課題】
【０００３】
しかし、チューブ容器の後端を巻き上げて中身を注出口へ押しやっても、中身を使用する毎にチューブ容器の巻上げを繰り返さなくてはならない。又直接手でチューブ容器を押さえても、中身が分散し容易に注出することが出来ない、又中身を使い切ることも難しくなる。
【０００４】
本考案は、前記問題を解決するために提案されたもので、その目的は、チューブ容器の中身の注出を容易にするチューブ容器に装着する注出具を提供することにある。
【課題を解決するための手段】
【０００５】
上記課題を解決するための本考案は、長穴と支持棒とを有した、側面視略Ｌ字に形成された棒枠体で構成されたチューブ容器の注出具であって、上記チューブ容器を、その後端から上記長穴に差し込み、該チューブ容器の後端部を、上記支持棒で上方から押し当て支持されるようにして、上記長穴と上記支持棒とで該チューブ容器を傾斜状態に保持するように取付ける構造とされ、その状態で該チューブ容器の後端を引っ張り出すことで、該チューブ容器の中身を注出口に集めるようにした。
【考案の効果】
【０００６】
チューブ容器の中身を注出口へ集めることにより、常に中身を満杯の状態にすることで、注出が容易にでき、又中身を使い切ることもできる。
【考案を実施するための最良の形態】
【０００７】
本考案の注出具１は図１に示すように、チューブ容器５の後端から注出具１を差し込み、中身を注出口へ集めるものである。注出具１は、図２から図４に示すように、２本の棒２、棒３で長穴を形成し、棒４、すなわち支持棒を長穴と平行にある程度の間隔をとり、長穴の両端に固定している。すなわち、注出具１は、長穴と支持棒とを有した、側面視略Ｌ字に形成された棒枠体で構成されている。長穴の隙間Ａ（図３）は、チューブ容器後端部の厚みＢの約２倍程度とする。この長穴にチューブ容器の後端を通し、チューブ容器の後端とのガタツキ分を吸収するために、さらに長穴と棒４との間に後端を差し込み引っ張り出す。すなわち、チューブ容器５の後端部を、棒４（支持棒）で上方から押し当て、支持している（図４参照）。これにより長穴とチューブ容器がしっくりとした状態になる。長穴に対する棒４の位置は、長穴とチューブ容器の隙間が無くなるまで傾斜させた位置とする（図４参照）。長穴とチューブ容器５の隙間が無くなることにより、中身を洩れなく注出口へ集めることができる。
本考案は、図１から図４に良く示されているように、長穴と支持棒とを有した、側面視略Ｌ字に形成された棒枠体で構成され、長穴と棒４（支持棒）とでチューブ容器５を傾斜状態に保持するように取付けて使用され、その状態でチューブ容器５の後端を引っ張り出すことで、チューブ容器５の中身を注出口に集めることが出来る。
【図面の簡単な説明】
【０００８】
【図１】本考案の注出具１の使用状態を示す斜視図である。
【図２】注出具１の斜視図である。
【図３】長穴の隙間Ａとチューブ容器が差し込まれた状態を示す図２におけるイーイ線縦断面図である。
【図４】長穴と棒４の間に通したチューブ容器の状態とチューブ容器後端部の厚みＢを示す図２におけるイーイ線縦断面図である。
【符号の説明】
【０００９】
１      注出具
２      棒（長穴の部材）
３      横棒（長穴の部材）
４      棒（支持棒）
５      チューブ容器
Ａ      長穴の隙間
Ｂ      チューブ容器後端部の厚み
【手続補正書】
【提出日】平成18年9月22日(2006.9.22)
【手続補正１】
【補正対象書類名】実用新案登録請求の範囲
【補正対象項目名】全文
【補正方法】変更
【補正の内容】
【実用新案登録請求の範囲】
【請求項１】
側面視略Ｌ字に形成された棒枠体で構成されたチューブ容器の注出具であって、
上記棒枠体の上辺を構成する上辺棒と、該上辺棒から上記チューブ容器後端部を通過させる間隔を保持して架設された横棒とで形成された長穴と、該棒枠体の下辺を構成する支持棒とを有しており、
上記長穴と上記支持棒とは、上記チューブ容器を、その後端から該長穴に差し込み、該長穴との隙間がなくなるまで傾斜させた状態で、上記チューブ容器の長手方向に沿った位置に形成されており、
該チューブ容器の後端部を、上記支持棒で上方から押し当て支持するようにして、該チューブ容器の後端を引っ張り出すことで、該チューブ容器の中身を注出口に集めるようにした、チューブ容器の注出具。
【手続補正２】
【補正対象書類名】明細書
【補正対象項目名】全文
【補正方法】変更
【補正の内容】
【考案の詳細な説明】
【技術分野】
【０００１】
本考案は、チューブ容器の中身の注出を容易にし、又中身を使い切るために、チューブ容器に装着する注出具に関するものである。
【背景技術】
【０００２】
チューブ容器の中身をある程度使用した後で、直接手でチューブ容器の後端を巻き上げて、中身を注出するか、又は直接手でチューブ容器を押さえて中身を注出している。
【考案の開示】
【考案が解決しようとする課題】
【０００３】
しかし、チューブ容器の後端を巻き上げて中身を注出口へ押しやっても、中身を使用する毎にチューブ容器の巻上げを繰り返さなくてはならない。又直接手でチューブ容器を押さえても、中身が分散し容易に注出することが出来ない、又中身を使い切ることも難しくなる。
【０００４】
本考案は、上記問題を解決するために提案されたもので、その目的は、チューブ容器の中身の注出を容易にするチューブ容器に装着する注出具を提供することにある。
【課題を解決するための手段】
【０００５】
上記課題を解決するための本考案は、側面視略Ｌ字に形成された棒枠体で構成されたチューブ容器の注出具であって、上記棒枠体の上辺を構成する上辺棒と、該上辺棒から上記チューブ容器後端部を通過させる間隔を保持して架設された横棒とで形成された長穴と、該棒枠体の下辺を構成する支持棒とを有しており、上記長穴と上記支持棒とは、上記チューブ容器を、その後端から該長穴に差し込み、該長穴との隙間がなくなるまで傾斜させた状態で、上記チューブ容器の長手方向に沿った位置に形成されており、該チューブ容器の後端部を、上記支持棒で上方から押し当て支持するようにして、該チューブ容器の後端を引っ張り出すことで、該チューブ容器の中身を注出口に集めるようにした。
【考案の効果】
【０００６】
チューブ容器の中身を注出口へ集めることにより、常に中身を満杯の状態にすることで、注出が容易にでき、又中身を使い切ることもできる。
【考案を実施するための最良の形態】
【０００７】
本考案の注出具１は図１に示すように、チューブ容器５の後端から注出具１を差し込み、中身を注出口へ集めるものである。注出具１は、図２から図４に示すように、側面視略Ｌ字に形成された棒枠体で構成されており、該棒枠体の上辺を構成する上辺棒２と、上辺棒２からチューブ容器５後端部を通過させる間隔を保持して架設された横棒３とで長穴を形成し、該棒枠体の下辺を構成する棒４、すなわち支持棒４を長穴と平行にある程度の間隔をとり、長穴の両端に固定している。本実施形態では、長穴の隙間Ａは、チューブ容器後端部の厚みＢの約２倍程度としている（図３参照）。この長穴にチューブ容器５の後端を通し、チューブ容器５の後端とのガタツキ分を吸収するために、さらに長穴と支持棒４との間に後端を差し込み引っ張り出す。すなわち、チューブ容器５の後端部を、支持棒４で上方から押し当て、支持している（図４参照）。これにより長穴とチューブ容器がしっくりとした状態になる。長穴に対する支持棒４の位置は、長穴とチューブ容器の隙間が無くなるまで傾斜させた位置、すなわち、長穴と支持棒４とは、チューブ容器５を、その後端から該長穴に差し込み、該長穴との隙間がなくなるまで傾斜させた状態で、チューブ容器５の長手方向に沿った位置としている（図４参照）。長穴とチューブ容器５の隙間が無くなることにより、中身を洩れなく注出口へ集めることができる。
本考案は、図１から図４に良く示されているように、長穴と支持棒とを有した、側面視略Ｌ字に形成された棒枠体で構成され、長穴と支持棒４とでチューブ容器５を傾斜状態に保持するように取付けて使用され、その状態でチューブ容器５の後端を引っ張り出すことで、チューブ容器５の中身を注出口に集めることが出来る。
【図面の簡単な説明】
【０００８】
【図１】本考案の注出具１の使用状態を示す斜視図である。
【図２】注出具１の斜視図である。
【図３】長穴の隙間Ａとチューブ容器が差し込まれた状態を示す図２におけるイーイ線縦断面図である。
【図４】長穴と棒４の間に通したチューブ容器の状態とチューブ容器後端部の厚みＢを示す図２におけるイーイ線縦断面図である。
【符号の説明】
【０００９】
１      注出具
２      上辺棒（長穴の部材）
３      横棒（長穴の部材）
４      支持棒
５      チューブ容器
Ａ      長穴の隙間
Ｂ      チューブ容器後端部の厚み